(57)【要約】【課題】  利用者により接続条件を入力する必要がなく、複数のレベルに分けて接続制限を行うことが可能なインターネット接続制限機能を持つ表示装置の提供する。【解決手段】  放送受信部から番組情報とデータ情報を分離する分離部と、分離部により分離されたデータ情報から複数のレベル毎に分類されたＵＲＬのテーブルを記憶する記憶部と、分離部により分離された番組情報をデコードするデコード部と、インターネットに接続するためのインターネット接続インターフェースと、デコード部からの映像信号及びインターネット接続インターフェースからのブラウザ信号を表示する表示部とを具備し、ＵＲＬが入力されたとき、ＵＲＬのテーブルを参照し、このテーブルに存在する場合、そのレベルに対応する暗証番号の入力を即し、暗証番号が一致したらインターネット接続インターフェースを介して所望のＵＲＬに接続する。【選択図】  図１
2006108745.tif 000002
【特許請求の範囲】
【請求項１】
放送波を受信する放送受信部と、
前記放送受信部から番組情報とデータ情報を分離する分離部と、
前記分離部により分離された前記データ情報から複数のレベル毎に分類されたＵＲＬのテーブルを記憶する記憶部と、
前記分離部により分離された番組情報をデコードし、映像信号を生成するデコード部と、
インターネットに接続するためのインターネット接続インターフェースと、
前記デコード部からの映像信号及び前記インターネット接続インターフェースからのブラウザ信号を表示する表示部とを具備し、
ＵＲＬが入力されたとき、前記記憶部に記憶されているＵＲＬのテーブルを参照し、このテーブルに存在する場合、そのレベルに対応する暗証番号の入力を即し、暗証番号が一致したら前記インターネット接続インターフェースを介して所望のＵＲＬに接続をすることを特徴とするインターネット接続制限機能を持つ表示装置。
【請求項２】
前記入力された暗証番号が一致しない場合、接続権限がないことを前記表示部に表示させることを特徴とする請求項１記載のインターネット接続制限機能を持つ表示装置。
【請求項３】
高次のレベルは、それよりも低次のレベルに対応するＵＲＬ全てに接続可能とする請求項１記載のインターネット接続制限機能を持つ表示装置。
【請求項４】
前記入力されたＵＲＬが前記ＵＲＬのテーブルに存在しなかった場合、最高レベルの暗証番号の入力を即すことを特徴とする請求項１記載のインターネット接続制限機能を持つ表示装置。
【発明の詳細な説明】
【技術分野】
【０００１】
本発明は、インターネット接続制限機能を持つ表示装置に関する。
【背景技術】
【０００２】
近年、多くの情報がインターネットを介して利用者に提供されるようになってきている。現在、利用者は、インターネットサービスプロバイダと契約してインターネットを利用することが最も一般的である。この場合、利用者が所持するパソコンなどの端末は、例えば、モデムを使い、電話回線などの公衆回線を介してプロバイダに接続し、インターネットに接続される、いわゆるダイヤルアップ接続が行われる。ダイヤルアップ接続のほかにも、専用線接続、ＡＤＳＬ接続、ＣＡＴＶ接続、さらに無線系のモバイル接続、衛星接続もある。
【０００３】
これらの接続により利用者は、インターネット上の情報提供者から各種の情報を売ることができる。
【０００４】
しかしながら、インターネットは誰とでも通信できる開放されたネットワークであるため、例えば、子供には好ましくない情報（性的なものや、暴力的なもの等）が提供されてしまう場合も考えられる。このような場合、何らかの手段によって、子供がその情報を配信する情報提供サイトにアクセスできないように制限することができれば、親にとっては非常に望ましい。また、その情報の内容に問題が無い場合であっても、子供が長時間インターネットを利用することは、電話料金や接続料金などの高騰は勿論のこと、子供の健康を害する恐れもある。
【０００５】
このため、子供がインターネット上の好ましくない情報提供サイトにアクセスできないようにするソフトウエアが提供されている。しかしながら、このようなソフトウエアは、通常、個別にパソコンにインストールする必要があり、その手間隙からほとんど家庭には普及していない。また、複数の利用者が同一のパソコンを利用する環境では、利用者ごとにアクセス条件を変更・設定することもできない。
【０００６】
そこで引用文献１には、親の端末に、子供のインターネット接続条件を設定するための画面を提供し、親による画面の入力操作によって、子供のインターネット接続条件を親の端末から受け取り、受け取ったインターネット接続条件を子供の識別情報に関連付けてデータベースに保存し、子供の端末からのインターネット接続要求があった場合に、読み出されたインターネット接続条件に従って、子供のインターネット接続を制御する方法が記載されている。
【非特許文献１】特開２００２−２１５４８８号公報
【発明の開示】
【発明が解決しようとする課題】
【０００７】
このようなインターネット接続を制御する方法では、子供のインターネット接続条件を全て親が入力しなければならず、日に日に増えて行く情報サイトを網羅することは不可能である。
【０００８】
そこで本発明は、このような問題点に鑑みてなされたもので、利用者により接続条件を入力する必要がなく、日に日に増えて行く情報サイトにおいても、複数のレベルに分けて接続制限を行うことが可能となるインターネット接続制限機能を持った表示装置を提供することを目的とする。
【課題を解決するための手段】
【０００９】
上記目的を達成するために、本発明は、放送波を受信する放送受信部と、
前記放送受信部から番組情報とデータ情報を分離する分離部と、
前記分離部により分離された前記データ情報から複数のレベル毎に分類されたＵＲＬのテーブルを記憶する記憶部と、
前記分離部により分離された番組情報をデコードし、映像信号を生成するデコード部と、
インターネットに接続するためのインターネット接続インターフェースと、
前記デコード部からの映像信号及び前記インターネット接続インターフェースからのブラウザ信号を表示する表示部とを具備し、
ＵＲＬが入力されたとき、前記記憶部に記憶されているＵＲＬのテーブルを参照し、このテーブルに存在する場合、そのレベルに対応する暗証番号の入力を即し、暗証番号が一致したら前記インターネット接続インターフェースを介して所望のＵＲＬに接続をすることを特徴とするインターネット接続制限機能を持つ表示装置を提供する。
【００１０】
このとき、前記入力された暗証番号が一致しない場合、接続権限がないことを前記表示部に表示させることもできる。
【００１１】
また、高次のレベルは、それよりも低次のレベルに対応するＵＲＬ全てに接続可能とすることもできる。
【００１２】
また、前記入力されたＵＲＬが前記ＵＲＬのテーブルに存在しなかった場合、最高レベルの暗証番号の入力を即すこともできる。
【発明の効果】
【００１３】
本発明によると、放送波から複数のレベル（年齢など）に応じて接続制限を設けたＵＲＬのテーブルを暗証番号と共に設定しておき、表示装置にて接続要求があった場合、暗証番号の入力を催促する。入力された暗証番号が正しい場合そのレベルに対応する利用者の接続要求であると認識して接続を行う。放送事業者は、日に日に増えていくサイトの中からレベルに応じてそのＵＲＬを登録する。このようにすることで利用者はＵＲＬの更新など特別な操作などを必要とせずレベルに応じた接続制限を行うことが可能となる。
【発明を実施するための最良の形態】
【００１４】
以下、本発明を実施するための最良の形態について図面を用いて詳細に説明する。なお、本発明は、以下の実施形態に限定されるものではなく、種々選択して用いることができる。
【００１５】
図１は、本発明のデジタルテレビジョン放送受信装置１１の主要な信号処理系を示しているブロック図である。
【００１６】
図１に示すように、ＢＳ／ＣＳ或いは地上デジタル放送受信用のアンテナ１３で受信したデジタルテレビジョン放送信号は、入力端子を介してデジタル放送用の放送受信部２１に供給されることにより、所望のチャンネルの放送信号が選局される。
【００１７】
そして、この放送受信部２１で選局された放送信号は、ＭＰＥＧデコーダとＭＰＵ部２３にて、ＰＳＫ（Phase Shift Keying）復調器に供給されて、デジタルの映像信号及び音声信号に復調される。このとき映像信号及び音声信号と別にデータ信号が分離部にて分離されそのなかから複数のレベル毎に分類されたＵＲＬのテーブルが抽出される。
【００１８】
次に、前記映像信号と音声信号はＡＶデコーダとグラッフィック部２６に入力され映像信号及び音声信号を生成し、表示部１６に入力されて番組を表示する。
【００１９】
一方分離された複数のレベル毎に分類されたＵＲＬのテーブルは、ＥＥＰＲＯＭ２４にて記憶される。ＵＲＬのテーブルは、例えば図３に示すようなものであり、５つのレベルに分類されている。
【００２０】
ここで、このデジタルテレビジョン放送受信装置１１は、各種の受信動作を含むその全ての動作をＭＰＥＧデコーダとＭＰＵ部２３のＭＰＵ部によって統括的に制御されている。このＭＰＵ部は、入力装置１４からの操作情報を受け、その操作内容が反映されるように各部をそれぞれ制御している。
【００２１】
この場合、ＭＰＵ部は、主として、そのＣＰＵが実行する制御プログラムを格納した不揮発性メモリ２５と、該ＭＰＵに作業エリアを提供するメモリ１９と、各種の設定情報及び制御情報等が格納されるＥＥＰＲＯＭ２４とを利用している。
【００２２】
また、このＭＰＵは、ＩＣカードＩ／Ｆ（Interface）１８を介して、ＩＣカード１７が装着可能なカードホルダに接続されている。これによって、ＭＰＵ部は、カードホルダに装着されたＩＣメモリカード１７と、カードホルダを介して情報伝送を行なうことができる。
【００２３】
また、ＭＰＵ部は、インターネット接続Ｉ／Ｆ２０を介してインターネット１２に接続されている。これにより、ＭＰＵ部は、インターネット１２と、インターネット接続Ｉ／Ｆ２０を介して情報伝送を行なうことができる。
【００２４】
また、映像部１６は、インターネットと接続した場合、ブラウザ１５を表示可能にできている。
【００２５】
次に、放送事業者が放送波を用いて複数のレベルに分類したＵＲＬのテーブルを送り、この表示装置において、利用する方法について説明する。
【００２６】
先ず、限定放送などの利用契約の際、ユーザは家族構成のうち親が接続可能なレベルと子供たちが接続可能なレベルを選択する。放送事業者は、サイトに応じて性的な表現、暴力的な表現などを考慮し例えば５、４、３、２、１の５段階を用意しておく。
【００２７】
利用者は、そのレベルに応じて例えばお父さんとお母さんはレベル５（全てのコンテンツを接続可）、高校生の長男にはレベル４、中学生の長女にはレベル３、小学生の次女にはレベル１というようにそれぞれ接続できるサイトの制限を選べる。
【００２８】
それぞれのレベルに対する暗証番号は、利用者が契約時にそれぞれ設定してもよいし、予め決められたものでもよい。
【００２９】
次に、放送事業者は、契約に応じて番組を提供するわけだが、そのなかで接続制限のレベルに応じて独自に分類したＵＲＬのテーブルを放送波に含ませて放送する。このＵＲＬのテーブルは、日々増え続けている各サイト管理者の申請により、或いは放送事業者の任意基準により接続制限のレベルに応じて更新する。
【００３０】
次に、放送事業者が放送にて送ってきた複数のレベルに分類したＵＲＬのテーブルを用いてＵＲＬのアクセス制限を行う方法について図２のフローチャートを用いて説明する。
【００３１】
図２に示すように、先ず利用者は、番組内のＵＲＬをクリックしたり、キーボードから直接ＵＲＬの入力を行う（Ｓ１１）。
【００３２】
次に、ＭＰＵ部は、ＥＥＰＲＯＭ２４からＵＲＬテーブルを読み出し、ステップＳ１１にて入力されたＵＲＬが登録済みのＵＲＬであるかチェックを行う（Ｓ１２）。登録済みのＵＲＬであれば、そのレベルに応じた暗証番号の入力を要求し（Ｓ１５）、登録されていないＵＲＬであれば、最高レベルの暗証番号の入力を要求する（Ｓ１４）。このとき登録されていないＵＲＬの場合は、そのＵＲＬはアクセス管理情報に登録されていない旨の表示を行うかまたはエラーの表示を行ってもよい。
【００３３】
次に、ＭＰＵ部は、ステップＳ１４及びステップＳ１５に応じて入力された暗証番号が正しい場合は、インターネット接続インターフェース２０を介してインターネットに接続し、そのＵＲＬのサイトのページ情報を表示装置１６にブラウザ１５として表示する。暗証番号が間違っている場合は、アクセス権限が無い旨の表示を行う。
【００３４】
このようなシステムによって、利用者は、日々増え続けるサイトの情報をいちいち更新しなくとも、限定放送などの番組利用制限を利用することで、子供に好ましくない情報を提供するサイトの閲覧を防ぐことが可能となる。
【図面の簡単な説明】
【００３５】
【図１】本発明の実施形態にかかる表示装置のブロック図。
【図２】本発明の実施形態にかかる表示装置の動作を説明するためのフロー。
【図３】複数のレベルに分類されたＵＲＬのテーブル。
【符号の説明】
【００３６】
１１・・・受信機
１２・・・インターネット
１３・・・アンテナ
１４・・・入力装置
１５・・・ブラウザ
１６・・・表示部
１７・・・ＩＣカード
１８・・・ＩＣカードインターフェース
１９・・・メモリ
２０・・・インターネット接続インターフェース
２１・・・放送受信部
２２・・・入力インターフェース
２３・・・ＭＰＥＧデコーダとＭＰＵ
２４・・・ＥＥＰＲＯＭ
２５・・・不揮発性メモリ
２６・・・ＡＶデコーダとグラッフィック
【図１】
2006108745.tif 000003
【図２】
2006108745.tif 000004
【図３】
2006108745.tif 000005